(57)【要約】【課題】  ユーザ情報の事前取得を必要とせずに、ユーザの特性に応じた効果的な広告を提供するとともに、その広告効果に応じた対価をリアルタイムに付与する。【解決手段】  コンテンツ配信システム１は、コンテンツ生成サーバ２０と携帯電話３０とを備えて構成される。コンテンツ生成サーバ２０は、広告データと、その再生を許可するためのユーザ条件とポイント付加条件とを、コンテンツに挿入した後、携帯端末３０に配信する。携帯端末３０は、自端末のＩＣカードに記録されているユーザ情報を上記ユーザ条件と照合し、広告再生履歴を上記ポイント付加条件と照合する。照合の結果、ユーザ情報及び広告再生履歴が、ともに条件に合致した場合には、携帯端末３０において、コンテンツの再生時に、広告データが再生される。また、広告再生の対価が付与される。【選択図】  図１
2006178890.tif 000002
【特許請求の範囲】
【請求項１】
コンテンツを端末に配信するサーバ装置において、
前記コンテンツに、広告データ、該広告データの配信対象となる端末ユーザの条件、及び、ユーザに対して対価が付加される条件を挿入して配信する配信手段を備えることを特徴とするサーバ装置。
【請求項２】
サーバ装置から配信されるコンテンツを再生する携帯端末において、
広告データ、該広告データの配信対象となる端末ユーザの条件、及び、ユーザに対して対価が付加される条件が挿入されたコンテンツを受信する受信手段と、
前記携帯端末のユーザ情報と広告再生履歴とを格納手段から取得し、前記受信手段により受信されたユーザ条件と前記ユーザ情報との照合、及び、前記受信手段により受信された対価付加条件と前記広告再生履歴との照合を行う照合手段と、
前記照合手段による照合の結果、前記ユーザ情報が前記ユーザ条件を満たし、かつ、前記広告再生履歴が前記対価付加条件を満たす場合に、前記コンテンツの再生時に前記広告データを再生して対価を付加する再生手段と
を備えることを特徴とする携帯端末。
【請求項３】
前記広告データを再生した結果得られた対価と前記広告再生履歴とをサーバ装置に通知する通知手段と、
前記サーバ装置から、前記対価に応じた対価を取得する取得手段と
を更に備えることを特徴とする請求項２に記載の携帯端末。
【請求項４】
サーバ装置が配信するコンテンツを携帯端末が受信して再生するコンテンツ配信システムにおいて、
前記サーバ装置は、
前記コンテンツに、広告データ、該広告データの配信対象となる端末ユーザの条件、及び、ユーザに対して対価が付加される条件を挿入して配信する配信手段を備え、
前記携帯端末は、
前記サーバ装置の配信手段により配信されたコンテンツを受信する受信手段と、
前記携帯端末のユーザ情報と広告再生履歴とを格納手段から取得し、前記受信手段により受信されたユーザ条件と前記ユーザ情報との照合、及び、前記受信手段により受信された対価付加条件と前記広告再生履歴との照合を行う照合手段と、
前記照合手段による照合の結果、前記ユーザ情報が前記ユーザ条件を満たし、かつ、前記広告再生履歴が前記対価付加条件を満たす場合に、前記コンテンツの再生時に前記広告データを再生して対価を付加する再生手段と
を備えることを特徴とするコンテンツ配信システム。
【請求項５】
サーバ装置が、コンテンツに、広告データ、該広告データの配信対象となる端末ユーザの条件、及び、ユーザに対して対価が付加される条件を挿入して配信するステップと、
携帯端末が、前記サーバ装置から配信されたコンテンツを受信するステップと、
前記携帯端末のユーザ情報と広告再生履歴とを格納手段から取得し、受信されたユーザ条件と前記ユーザ情報との照合、及び、受信された対価付加条件と前記広告再生履歴との照合を行うステップと、
前記照合の結果、前記ユーザ情報が前記ユーザ条件を満たし、かつ、前記広告再生履歴が前記対価付加条件を満たす場合に、前記コンテンツの再生時に前記広告データを再生して対価を付加するステップと
を含むことを特徴とする広告再生方法。
【発明の詳細な説明】
【技術分野】
【０００１】
本発明は、携帯端末のユーザに広告を閲覧させ、その対価を支払う技術に関する。
【背景技術】
【０００２】
近年、ネットワークへのアクセスを行った端末のユーザに対して、その趣味や嗜好に応じた広告を配信する技術が開示されている（例えば、特許文献１、２参照）。このような技術において、広告が配信される契機としては、Ｗｅｂページの閲覧、あるいは、映像や音楽のデジタルコンテンツ（以下、単に「コンテンツ」と記す。）のダウンロードがある。特に、ネットワークへのアクセスがコンテンツの取得を伴う場合には、コンテンツの提供者が広告閲覧者に対して何らかの対価を支払うことも、広告効率を向上する観点から有効である。かかる技術は、例えば特許文献３に開示されている。
【特許文献１】特開２００２−  ４１３９６号公報
【特許文献２】特開２００３−１６８０４４号公報
【特許文献３】特開２００２−１３３２６９号公報
【発明の開示】
【発明が解決しようとする課題】
【０００３】
ユーザ特性を考慮した従来の広告配信技術は、訴求効果を高めるが、広告配信に先立ってユーザの情報を収集する必要があるため、情報の入力や送信をユーザに強いることになる。また、配信された広告を閲覧したユーザがその対価を得るタイミングに関して、従来は、コンテンツの再生前、若しくは再生後であった。このため、前者の場合には、コンテンツの一部または全部が再生されていない、すなわち広告が最後まで閲覧されていないにも関わらず、ユーザが対価を得るという懸念が生じ得る。一方、後者の場合にも、ユーザがコンテンツの再生を中断したときに、広告を閲覧したにも関わらず、全く対価を得られないという難点が生じる。
【０００４】
そこで、本発明の課題は、上記問題点を解決すべく、ユーザ情報の事前取得を必要とせずに、ユーザの特性に応じた効果的な広告を提供するとともに、その広告効果に応じたリアルタイムの対価付与を実現することである。
【課題を解決するための手段】
【０００５】
本発明に係るサーバ装置は、コンテンツを端末に配信するサーバ装置（例えば、コンテンツ生成サーバ）において、前記コンテンツに、広告データ、該広告データの配信対象となる端末ユーザの条件、及び、ユーザに対して対価が付加される条件を挿入して配信する配信手段を備える。
【０００６】
本発明によれば、サーバ装置は、コンテンツ受信側の端末において、その端末のユーザ属性や対価の付加条件に応じて、広告データの再生可否を可変とすることができる。したがって、広告内容に即したユーザに対してのみ広告データを閲覧させることができるとともに、対価を取得することが適当なユーザに対してのみ対価を付与することができる。これにより、ユーザの特性に応じた効果的な広告提供と、その広告効果に応じたリアルタイムの対価（例えば、ポイント）付与とを、ユーザ情報の事前取得を要せずに実現することが可能となる。
【０００７】
本発明に係る携帯端末は、サーバ装置から配信されるコンテンツを再生する携帯端末において、広告データ、該広告データの配信対象となる端末ユーザの条件、及び、ユーザに対して対価が付加される条件が挿入されたコンテンツを受信する受信手段と、前記携帯端末のユーザ情報と広告再生履歴とを格納手段（例えば、ＩＣカード）から取得し、前記受信手段により受信されたユーザ条件と前記ユーザ情報との照合、及び、前記受信手段により受信された対価付加条件と前記広告再生履歴との照合を行う照合手段と、前記照合手段による照合の結果、前記ユーザ情報が前記ユーザ条件を満たし、かつ、前記広告再生履歴が前記対価付加条件を満たす場合に、前記コンテンツの再生時に前記広告データを再生して対価を付加する再生手段とを備える。
【０００８】
本発明に係るコンテンツ配信システムは、サーバ装置が配信するコンテンツを携帯端末が受信して再生するコンテンツ配信システムにおいて、前記サーバ装置は、前記コンテンツに、広告データ、該広告データの配信対象となる端末ユーザの条件、及び、ユーザに対して対価が付加される条件を挿入して配信する配信手段を備え、前記携帯端末は、前記サーバ装置の配信手段により配信されたコンテンツを受信する受信手段と、前記携帯端末のユーザ情報と広告再生履歴とを格納手段（例えば、ＩＣカード）から取得し、前記受信手段により受信されたユーザ条件と前記ユーザ情報との照合、及び、前記受信手段により受信された対価付加条件と前記広告再生履歴との照合を行う照合手段と、前記照合手段による照合の結果、前記ユーザ情報が前記ユーザ条件を満たし、かつ、前記広告再生履歴が前記対価付加条件を満たす場合に、前記コンテンツの再生時に前記広告データを再生して対価を付加する再生手段とを備える。
【０００９】
本発明に係る広告再生方法は、サーバ装置が、コンテンツに、広告データ、該広告データの配信対象となる端末ユーザの条件、及び、ユーザに対して対価が付加される条件を挿入して配信するステップと、携帯端末が、前記サーバ装置から配信されたコンテンツを受信するステップと、前記携帯端末のユーザ情報と広告再生履歴とを格納手段から取得し、受信されたユーザ条件と前記ユーザ情報との照合、及び、受信された対価付加条件と前記広告再生履歴との照合を行うステップと、前記照合の結果、前記ユーザ情報が前記ユーザ条件を満たし、かつ、前記広告再生履歴が前記対価付加条件を満たす場合に、前記コンテンツの再生時に前記広告データを再生して対価を付加するステップとを含む。
【００１０】
これらの発明によれば、携帯端末によって受信されたコンテンツ内の広告データは、端末に設定されているユーザ情報が前記コンテンツに挿入されているユーザ条件を満たす場合にのみ再生される。これにより、端末ユーザの属性や嗜好に合わない広告が閲覧されることが防止され、ユーザの特性に応じた効果的な広告を提供することができる。また、ユーザ情報として使用されるデータは、ＩＣカード等、携帯端末の格納手段に予め格納されているため、コンテンツの配信に先立ってサーバ装置がユーザ情報を取得する必要はない。
【００１１】
携帯端末によって受信されたコンテンツ内の広告データは、端末における当該広告データの再生履歴が前記コンテンツに挿入されている対価付加条件を満たす場合にのみ再生される。したがって、サーバ装置が、対価付加条件として、再生回数（若しくは再生頻度）の上限値や有効期限（若しくは有効期間）を設定しておくことで、ユーザ条件を満たすユーザに関しても広告データの再生を制限することができる。対価の付与は、広告データが再生された携帯端末に対して行われるため、広告データの再生制限に伴い、付与される対価も制限され、同一のユーザが際限無く対価を享受することが予防される。その結果、コンテンツ提供事業者は、予定した広告費用内での広告提供が可能となる。
【００１２】
更に、ユーザ情報がユーザ条件を満たし、かつ、広告再生履歴が対価付加条件を満たす場合には、携帯端末のユーザは、コンテンツと広告データの再生と同時に対価を獲得する。また、広告データの上記再生制限は、広告効果の薄まったユーザに広告を閲覧させることにより、過度に対価を与えること（対価の浪費）を未然に防止する。その結果、広告効果に応じたリアルタイムの対価付与を実現することが可能となる。
【００１３】
本発明に係る携帯端末において好ましくは、前記広告データを再生した結果得られた対価と前記広告再生履歴とをサーバ装置に通知する通知手段と、前記サーバ装置から、前記対価に応じた対価を取得する取得手段とを更に備える。
【００１４】
携帯端末にて広告データが再生されたこと、すなわちユーザが広告を閲覧したことへの対価（例えば、ポイント数）が、広告再生履歴とともにサーバ装置（例えば、ポイント管理サーバ）に通知されると、そのサーバ装置からは、上記対価に応じた対価（キャッシュや別種のポイント）が提供される。これにより、携帯端末のユーザは、コンテンツの広告閲覧による実益を得る。一方、サーバ装置は、対価の提供に先立って、広告再生履歴を得ることができる。この再生履歴は、新たなユーザ条件の設定やポイント付加条件の更新に利用することができる。
【発明の効果】
【００１５】
これらの発明によれば、ユーザ情報の事前取得を必要とせずに、ユーザの特性に応じた効果的な広告を提供するとともに、その広告効果に応じたリアルタイムの対価付与を実現することが可能となる。
【発明を実施するための最良の形態】
【００１６】
以下、添付図面を参照しながら、本発明の一実施形態におけるコンテンツ配信システムについて説明する。
図１は、本実施の形態におけるコンテンツ配信システム１の機能的構成を示す図である。図１に示すように、コンテンツ配信システム１は、不特定多数の端末ユーザにコンテンツを配信するコンテンツ生成サーバ２０（サーバ装置に対応）と、コンテンツの提供を受けるユーザの保持する携帯端末３０とを少なくとも備える。更に、コンテンツ配信システム１は、配信されるコンテンツをコンテンツ生成サーバ２０に登録するコンテンツ事業者サーバ１０と、ユーザの得たポイントをキャッシュ等の対価と交換するポイント管理サーバ４０とを備えるものとしてもよい。
【００１７】
コンテンツ事業者サーバ１０は、コンテンツ登録部１１と広告再生履歴取得部１２とを備える。これら各構成要素は、バス（図示せず）を介して、相互に信号の入出力が可能なように接続されている。
コンテンツ登録部１１は、コンテンツ事業者により指定された情報を基に、配信対象のコンテンツ、広告データ、ユーザ条件、及び、ポイント付加条件を決定し、コンテンツ生成サーバ２０に登録する。登録されるコンテンツと広告データは、データ自体であってもよいし、データを特定するための識別情報であってもよい。広告再生履歴取得部１２は、ポイント管理サーバ４０からネットワーク経由で送信された広告再生履歴を受信する。
【００１８】
コンテンツ生成サーバ２０は、コンテンツ取得部２１とコンテンツＤＢ２２とコンテンツ配信部２３（配信手段に対応）とを備える。これら各構成要素は、図示しないバスを介して、相互に信号の入出力が可能なように接続されている。
コンテンツ取得部２１は、コンテンツ事業者サーバ１０により登録されたコンテンツ、広告データ、ユーザ条件、及び、ポイント付加条件を取得すると、これらの情報を、登録元の事業者情報と併せてコンテンツＤＢ２２に格納する。
【００１９】
コンテンツＤＢ２２内部のデータ構成を図２に示す。
図２に示すように、コンテンツＤＢ２２は、事業者ＩＤ領域２２ａと事業者名領域２２ｂとコンテンツ領域２２ｃと広告データ領域２２ｄとユーザ条件領域２２ｅとポイント付加条件領域２２ｆとを有する。事業者ＩＤ領域２２ａには、コンテンツの登録主体たる事業者の識別情報として、事業者ＩＤ（例えば、“００”,“０１”,“０２”,…）が格納される。事業者名領域２２ｂには、これに対応する事業者の名称（例えば、“事業者Ａ”、“事業者Ｂ”、…）が事業者名として格納される。コンテンツ領域２２ｃには、映画、音楽といった配信されるコンテンツデータ（広告データを含まない）が格納される。広告データ領域２２ｄには、対応するコンテンツに挿入されるべきコマーシャル（例えば、“旅行ＣＭ”、“ゲームＣＭ”、…）の映像・音楽データが、広告データとして格納される。
【００２０】
ユーザ条件領域２２ｅには、対応する広告データを閲覧させることが好適なユーザの条件（性別、年齢、趣味など）が、ユーザ条件として格納される。ユーザ条件は、広告データの内容に応じて、最も広告効率の高いと思われるユーザ層を対象とする。広告データが旅行ＣＭ（Commercial）の場合には、旅行に対する関心の高いユーザ層として、例えば、性別が“女性”、年齢は“２０代”、趣味は“旅行”が想定されるので、これら三つの条件を満たすユーザが、コンテンツ事業者によって指定される。指定されたユーザ条件は、ユーザ条件領域２２ｅに格納されることで、コンテンツ生成サーバ２０に登録される。
【００２１】
ポイント付加条件領域２２ｆは、広告データの再生条件の一つとして、ポイントが付加される条件が格納される領域である。ポイントが付加される条件は、例えば、対応する広告データが同一の端末において再生された回数（再生回数）の上限が“２回”である。かかる条件を設定することで、この広告データが一つの端末において３回以上再生されることがなくなる。これにより、広告効率の低下を抑制する。再生回数は、再生頻度であってもよい。
また、ポイント付加条件として有効期限（例えば、１２月末まで）を設定しておけば、当該期限以降は、端末のユーザが広告データを閲覧することはない。これにより、期限を徒過したイベントの広告が抑止される。有効期限は、コンテンツの受信時から１週間以内といった有効期間であってもよい。
なお、ポイント付加条件領域２２ｆには、ポイント付加条件に併せて、広告データが再生された端末のユーザに付与されるポイント数（例えば、１００ポイント／回）を格納することもできる。
【００２２】
コンテンツ配信部２３は、配信要求を契機として、あるいは自発的に、携帯端末３０を含む不特定多数の端末に向けて、コンテンツの配信を行う。コンテンツは、ネットワークや基地局を経由して、広告データ、ユーザ条件、及び、ポイント付加条件とともに配信される。
【００２３】
携帯端末３０は、コンテンツ受信部３１（受信手段に対応）とユーザ情報格納部３２と条件照合部３３（照合手段に対応）と広告再生部３４（再生手段に対応）とコンテンツ再生部３５とポイント数通知部３６（通知手段に対応）と対価取得部３７（取得手段に対応）とを備える。これら各構成要素は、図示しないバスを介して、相互に信号の入出力が可能なように接続されている。
【００２４】
コンテンツ受信部３１は、コンテンツ生成サーバ２０から配信されるコンテンツを受信する。このコンテンツには、広告データ、ユーザ条件、及び、ポイント付加条件が挿入されている。
ユーザ情報格納部３２には、携帯端末３０のユーザに関する情報として、少なくとも性別、年齢、趣味が格納されている。また、広告データの再生履歴がその識別情報とともに格納されている。ユーザ情報格納部３２は、高い秘匿性と信頼性を確保すべく、耐タンパー性を有するＩＣ（Integrated Circuit）カードから構成される。
【００２５】
条件照合部３３は、受信されたコンテンツに挿入されているユーザ条件と、ユーザ情報格納部３２内のユーザ情報とを照合した後、ポイント付加条件と広告再生履歴とを照合する。照合の結果、ユーザ情報及び広告再生履歴が双方の条件を満たす場合にのみ、条件照合部３３は、後段の広告再生部３４に対して、広告データの再生を指示する。具体的な処理内容に関しては、動作説明において後述する。
【００２６】
広告再生部３４は、条件照合部３３からの指示を契機として、コンテンツ受信部３１により受信された広告データを復号しながら再生する。再生は、例えば、映像表示や音声出力である。広告再生部３４は、ユーザ情報格納部３２内の既存のポイント数に、広告データの再生に相当するポイント数を加算した上で、広告再生履歴の更新を行う。
コンテンツ再生部３５は、広告データの再生後直ちに、コンテンツ受信部３１により受信されたコンテンツを復号しながら再生する。
【００２７】
ポイント数通知部３６は、携帯端末３０のユーザからの指示に応じて、ユーザ情報格納部３２に格納されているポイント数をポイント管理サーバ４０に通知する。
対価取得部３７は、ポイント管理サーバ４０から提供される、ポイントの対価を取得する。対価は、例えば、電子マネー、電子チケットなどの電子価値、あるいは、別種のポイントであるが、その支払い方法はこれらに限定されない。
【００２８】
ポイント管理サーバ４０は、対価提供部４１と広告再生履歴通知部４２とを備える。これら各構成要素は、バスを介して、相互に信号の入出力が可能なように接続されている。
対価提供部４１は、携帯端末３０からポイント数が通知されると、該ポイント数に応じた対価を携帯端末３０宛に提供する。広告再生履歴通知部４２は、携帯端末３０から通知された広告再生履歴を、携帯端末３０の識別情報とともに、前述のコンテンツ事業者サーバ１０に通知する。
【００２９】
続いて、図３を参照して、本実施の形態におけるコンテンツ配信システム１の動作を説明し、併せて、本発明に係る広告再生方法を構成する各ステップについて説明する。
まずＳ１では、コンテンツ事業者サーバ１０において、コンテンツ生成サーバ２０に対するコンテンツの登録処理が実行される。コンテンツは、広告のデータと、当該広告の提供が効果的であると予想されるユーザの条件と、広告効果が高いことが予想されるユーザに対するポイント付加の条件とともに登録される。
【００３０】
コンテンツは、コンテンツ生成サーバ２０のコンテンツ取得部２１により受信された後、同時に受信された広告データ、ユーザ条件、ポイント付加条件が挿入された状態で暗号化され（Ｓ２）、携帯端末３０宛に送信される（Ｓ３）。挿入される広告データは、一コンテンツにつき一データとは限らず、複数の広告データが挿入される場合には、それぞれの広告データに異なる条件を設定することもできる。
Ｓ４では、広告データ、ユーザ条件、ポイント付加条件の挿入されたコンテンツが、携帯端末３０のコンテンツ受信部３１により受信される。
【００３１】
携帯端末３０のユーザが、Ｓ４で受信されたコンテンツの再生を指示すると（Ｓ５；ＹＥＳ）、コンテンツ再生処理の実行が開始される。
コンテンツ再生処理では、まず、ユーザ情報格納部３２に格納されているユーザ情報と広告再生履歴とが参照され（Ｓ６）、これらの情報が、Ｓ４で受信されたユーザ条件とポイント付加条件との双方を満たすか否かの判定が行われる（Ｓ７）。
【００３２】
例えば、受信されたコンテンツに挿入されているユーザ条件が“女性、２０代、趣味が旅行を含む”であり、ポイント付加条件が“再生回数２回、有効期限１２月末、１００ポイント／回”である場合を想定する。この場合、ＩＣカード内のユーザ情報が“女性、２５才、趣味が映画、旅行”であり、同じく広告再生履歴が“１回”であれば、１２月末日以前は双方の条件を満たす（Ｓ７；ＹＥＳ）。このため、Ｓ８に移行する。これに対して、ユーザ情報が“男性、２８才、趣味が楽器”である場合、あるいは、広告再生履歴が“３回”と２回を超えている場合などには、上記二条件のうち、少なくとも一方を満たさない（Ｓ７；ＮＯ）。したがって、Ｓ８,Ｓ９の各ステップは省略され、Ｓ１０に移行する。
【００３３】
なお、ポイント付加条件を満たすか否かを判定する情報としては、広告再生履歴に限らず、実際に付加されたポイントの情報（ポイント付加履歴）を用いてもよい。あるいは、これらの履歴情報を組み合わせてもよい。これにより、広告データが再生されたにも関わらずポイントが付加されない場合などに、より広告効果の実態に即したポイントの付与が可能となる。
【００３４】
Ｓ８では、コンテンツに挿入されている広告データが、復号されながら再生される。なお、複数の広告データがコンテンツに含まれている場合には、条件に合致する広告データのみが再生される。
広告データの再生と同時に、ユーザ情報格納部３２に格納されているポイントに対して、ポイント付加条件に設定されている１回分のポイント数が加算される。例えば、事業者ＩＤ“００”を有する旅行ＣＭ（図２参照）が再生された場合には、これに対応する“１００ポイント”が、ユーザ既有のポイントである“３００”に加算され、４００ポイントとなる。このポイント数は、ポイント付加履歴とともにＩＣカードに記録され、広告データ再生後も継続して保持される。
広告データの再生に伴い、ユーザ情報格納部３２に格納されている広告再生履歴は更新される（Ｓ９）。例えば、上記広告データの過去の再生回数が“２回”であれば、再生時に“３回”に更新される。この結果、再生回数は、その上限値である２回（図２参照）を超えるため、以降、この広告データは同一のユーザ端末において再生されなくなる。
【００３５】
図３のＳ１０では、Ｓ４で受信されたコンテンツが復号されながら再生される。すなわち、コンテンツ内の情報がユーザ条件とポイント付加条件との何れにも合致する場合には、広告データは再生され、その結果ポイントも付与されるが、何れか若しくは双方の条件に反する場合には、広告データは再生されず、ポイントも付与されない。このようにして、広告を見た携帯端末３０のユーザは、コンテンツの再生時にリアルタイムにポイントを獲得する。
【００３６】
コンテンツ再生処理が終了すると、Ｓ９で得られたポイントを対価に還元するためのポイント還元処理の実行が開始される。
Ｓ１１では、ユーザからの指示に応じて、ユーザ情報格納部３２に格納されているポイント数が、広告再生履歴とともに、携帯端末３０からポイント管理サーバ４０に送信される。ポイント管理サーバ４０が、受信されたポイント数に応じた対価を携帯端末３０に提供すると（Ｓ１２）、携帯端末３０は、対価取得部３７によりこれを取得する（Ｓ１３）。
なお、広告データの再生が中断された場合には、携帯端末３０は、再生されたデータ量に応じた対価を受け取るものとしてもよい。
【００３７】
ポイント管理サーバ４０においてＳ１１で受信された広告再生履歴は、Ｓ１２で提供した対価相当の請求額と併せて、ネットワーク経由で、コンテンツ事業者サーバ１０に通知される（Ｓ１４）。
コンテンツ事業者サーバ１０は、通知された広告再生履歴を参照することにより、携帯端末３０の再生した広告データに対応するポイント数分の金額のみを確実に支払うことを可能とする（Ｓ１５）。取得された広告再生履歴は、新たなユーザ条件やポイント付加条件に反映させる、あるいは、広告効果の推定、コンテンツの需要予測といった二次利用に供することも可能である。
【００３８】
以上説明したように、コンテンツ配信システム１によれば、コンテンツ生成サーバ２０が、コンテンツの中に、広告データ、ユーザ条件、ポイント付加条件を挿入して配信する。携帯端末３０は、コンテンツを受信すると、ＩＣカードにより構成されるユーザ情報格納部３２から情報を読み出す。そして、ユーザ情報が上記ユーザ条件を満たし、かつ、広告データの再生履歴が上記ポイント付加条件を満たす場合に限り、広告データの再生及びポイントの付加を行う。このようにして、コンテンツ生成サーバ２０は、ユーザ情報の事前取得を行うことなく、ユーザの特性に合った広告をユーザに閲覧させ、広告効率を向上させる。同時に、広告効果に応じたポイントを、コンテンツ再生と略同時にユーザに提供可能とする。したがって、携帯端末３０のユーザは、広告の閲覧に伴って、その効果に見合った対価を獲得することができる。
【００３９】
なお、本実施の形態に記載の態様は、本発明に係るコンテンツ配信システムの好適な一例であり、本発明は、上述の態様に限定されるものではない。
例えば、上記実施の形態では、携帯端末３０は、コンテンツ再生後に、ポイント数に応じた対価の提供を別途受けるものとしたが、コンテンツの再生と同時にＩＣカードへのチャージ（対価の支払い）を直接受けるものとしてもよい。かかる態様では、携帯端末３０からポイント管理サーバ４０に向けて、対価の支払い履歴が広告再生履歴とともに、ネットワーク経由で通知される。
【００４０】
また、上記実施の形態では、コンテンツを登録する事業者サーバ、これを配信するサーバ、ポイントを管理するサーバを、それぞれ別体のサーバ装置として記載及び図示したが、これらのサーバは、一または二のサーバ装置として、本システムを構成するものとしてもよい。反対に、各サーバの機能を更に複数のサーバ装置に分散させてもよく、システムを構成するサーバ装置の物理的構成及び運用態様は任意である。
【００４１】
携帯端末は、例えば、携帯電話であるが、これに限らず、ＰＤＡ（Personal Digital Assistants）やＰＣ（Personal Computer）であってもよい。携帯端末におけるコンテンツの取得に関しても、コンテンツ生成サーバからの配信を例示したが、携帯端末に着脱可能なメモリ経由での取得、別の端末との無線通信による取得など、その方法は任意である。このように流通経路を多様化することで、コンテンツ事業者は、コンテンツの配布をより効率的に行うことができる。特に、無線通信による取得は、ＦｅｌｉＣａ（登録商標）をベースにしたＮＦＣ（Near Field Communication）や、Ｂｌｕｅｔｏｏｔｈ（登録商標）、ＩｒＤＡ（Infrared Data Association）などの通信方式により実施可能である。
【図面の簡単な説明】
【００４２】
【図１】コンテンツ配信システムの機能的構成を示す図である。
【図２】コンテンツ生成サーバのコンテンツＤＢにおけるデータ格納例を示す図である。
【図３】コンテンツ配信システムの動作を説明するためのフローチャートである。
【符号の説明】
【００４３】
１…コンテンツ配信システム、１０…コンテンツ事業者サーバ、１１…コンテンツ登録部、１２…広告再生履歴取得部、２０…コンテンツ生成サーバ、２１…コンテンツ取得部、２２…コンテンツＤＢ、２３…コンテンツ配信部、３０…携帯端末、３１…コンテンツ受信部、３２…ユーザ情報格納部、３３…条件照合部、３４…広告再生部、３５…コンテンツ再生部、３６…ポイント数通知部、３７…対価取得部、４０…ポイント管理サーバ、４１…対価提供部、４２…広告再生履歴通知部
【図１】
2006178890.tif 000003
【図２】
2006178890.tif 000004
【図３】
2006178890.tif 000005